(57)【要約】【課題】下端外周縁に形成される鍔の突出寸法が異なるヘルメットに対しても自由に装着することができる、ヘルメット用付属物ホルダを提供する。【解決手段】外向きの小さな鍔部８が形成されているヘルメットの下端に下方から挿入する樋状のホルダ本体１と、付属物の係止手段を備える筒状の係止部材２で構成する。ホルダ本体１は、内壁３をヘルメット内に挿入し外壁４をヘルメット外に位置させるとともに、ホルダ本体１の外壁４に支持板部５を形成しておき、支持板部５に係止部材２を挿入し、挿入位置に係止させる。このとき、係止部材２の内面部分に形成した押圧片６によってヘルメットの下端の鍔部８を上方から押圧し、鍔部８をホルダ本体１と係止部材２の押圧片６で挟持することによって、ヘルメット用付属物ホルダをヘルメットに固定する。【選択図】  図３
2010121228.tif 000002
【特許請求の範囲】
【請求項１】
外向きの小さな鍔部が形成されているヘルメットの下端に下方から挿入する樋状のホルダ本体と、付属物の係止手段を備える筒状の係止部材で構成し、
樋状のホルダ本体は、内壁をヘルメット内に挿入し外壁をヘルメット外に位置させるとともに、ホルダ本体の外壁に支持板部を形成しておき、該支持板部に筒状の係止部材を挿入し、挿入位置に係止させることによって係止部材の内面部分に形成した押圧片によってヘルメットの下端の鍔部を上方から押圧し、ホルダ本体と係止部材の押圧片で挟持することによってヘルメットに固定することを特徴とするヘルメット用付属物ホルダ。
【請求項２】
筒状の係止部材は、その内部を仕切り壁によって区画し、一方の区画にホルダ本体の支持板部を挿入し、他方の区画に付属物の支持手段を備えた付属物支持板を着脱自在に装着することを特徴とする請求項１記載のヘルメット用付属物ホルダ。
【発明の詳細な説明】
【技術分野】
【０００１】
この発明は、作業現場において携行する筆記具や防災面といったヘルメット用の付属物を、ヘルメットに対して着脱自在に装着するためのホルダに関する発明である。
【背景技術】
【０００２】
作業現場においては、筆記具やペンライト、その他ヘルメット用の付属物を携行する場合に、携行の邪魔にならないように付属物をヘルメットに保持させておくことが行われている。従来、ヘルメットにペンやペンライトを取り付けるには、ヘルメットの側縁部にホルダを固定し、該ホルダに保持させる方法がとられている。
特許文献１には、ヘルメットの下端縁部分に弾性的に係止するホルダ本体にペンの保持手段を装着するヘルメット用ペンホルダの発明が開示されている。
特許文献２には、ヘルメットの側縁を挟持させる固定部材に結束バンドを取り付け、結束バンドによってペンライトを取り付ける治具の発明が開示されている。また、特許文献２の図７〜図１４には、ヘルメットの側縁を挟持させるに際し、板バネをネジ(押圧部材)で固定する構造が開示されている。
【特許文献１】特開２００７―３１３６５３号公報
【特許文献２】特開２０００―３５５８１７号公報
【発明の開示】
【発明が解決しようとする課題】
【０００３】
従来のヘルメット用のホルダは、特定のヘルメットにのみ装着することができたものである。すなわち、ヘルメットは下端の外周縁に外側に反り返った小さな鍔が形成されているが、製品によって鍔の形状や外側への突出寸法が異なる。そのため、従来のヘルメット用の付属物ホルダは特定のヘルメットの専用部品として提供されているのが普通であり、ヘルメットの種類が異なれば、同じヘルメット用付属物ホルダを使用することができないという欠点があった。
【０００４】
上記、従来技術の欠点に鑑み、本発明はヘルメットの種類、すなわち下端外周縁に形成される鍔の突出寸法が異なるヘルメットに対しても自由に装着することができるとともに、容易に装着することができるヘルメット用付属物ホルダを提供することを目的とするものである。
【課題を解決するための手段】
【０００５】
上記目的を達成するため、請求項１記載の本発明に係るヘルメット用付属物ホルダは、外向きの小さな鍔部８が形成されているヘルメット７の下端に下方から挿入する樋状のホルダ本体１と、付属物の係止手段を備える筒状の係止部材２とで構成する。
樋状のホルダ本体１は、内壁３をヘルメット７内に挿入し外壁４をヘルメット７外に位置させるとともに、ホルダ本体１の外壁４に支持板部５を形成しておき、この支持板部５に筒状の係止部材２を挿入し、挿入位置に係止させる。係止部材２の内面部分には、押圧片６形成しておき、押圧片６によってヘルメット７下端の鍔部８を上方から押圧し、鍔部８をホルダ本体１と係止部材２の押圧片６で挟持することによってヘルメット７に固定する。
【０００６】
筒状の係止部材２は、係止部材２自体に付属物の支持手段を形成するものであってもよいが、請求項２記載の発明は、係止部材２の内部を仕切り壁９によって区画し、一方の区画10にホルダ本体１の支持板部５を挿入し、他方の区画11に付属物の支持手段を備えた付属物支持板12を着脱自在に装着する。
【発明の効果】
【０００７】
請求項１記載の本発明によれば、樋状のホルダ本体１をヘルメット７周縁の鍔部８に下方から差し込み、ホルダ本体１の外壁４、具体的には外壁４に形成している支持板部５に筒状の係止部材２を挿入し、挿入位置に係止させるだけの簡単な操作で、ヘルメット用付属物ホルダをヘルメットに装着することができる。
このとき、本発明に係るヘルメット用付属物ホルダは、樋状のホルダ本体１に鍔部８が形成されているヘルメットの下端部を差し込むことができるものであれば、ヘルメットの鍔部８の幅に関係なく装着することができる。すなわち、ヘルメットの下端外周に形成されている鍔部８の突出量が異なるヘルメットに対しても汎用的にヘルメット用付属物ホルダを装着することができる効果がある。
【０００８】
請求項２記載の発明によれば、付属物支持板12を支持板として好ましい材質、形状、構造として実施することができるとともに、付属物支持板を変更することによって、用途変更を行うことができる。例えば、付属物支持板をペンホルダとしたり、ペンライトホルダとしたり、あるいはＩＤカードホルダや小物収納ボックスなど、任意に変更して使用することができる。さらに、左右２箇所に取り付け、防災面といった大きな付属物の取り付け手段とすることもできる。
【発明を実施するための最良の形態】
【０００９】
以下、本発明に係るヘルメット用付属物ホルダの好ましい実施形態を添付の図面に基づいて説明する。図１は付属物支持板を取り外した状態のヘルメット用付属物ホルダの斜視図、図２はホルダ本体と係止部材を分離させた状態の斜視図、図３は、付属物支持板を含むヘルメット用付属物ホルダ全体の正面中央縦断面図である。
【００１０】
図示実施形態のヘルメット用付属物ホルダは、図３に示すように外向きの小さな鍔部８が形成されているヘルメット７の下端に、下方から挿入することができる樋状のホルダ本体１と、筒状の係止部材２と、付属物の係止手段として係止部材２に装着する付属物支持板12とで構成している。
【００１１】
樋状のホルダ本体１の内壁３は、ヘルメット７の内側に位置し、外壁４はヘルメット７の外側に位置する。内壁３はなるべくヘルメット内面に沿う形状とし、外壁４は薄板状であって、やや内方に傾斜させた支持板部５を立設している。この支持板部５に筒状に形成した係止部材２を挿入し、挿入位置に係止させることができるようにする。
【００１２】
支持板部５は、外壁４の上に、段部13を形成して上方に延長する態様に形成されている。したがって、支持板部５に挿入した係止部材２は段部13で支受される。また、支持板部５の外表面の一部に係止爪14を突出させるとともに、係止部材２の内面に係止爪14に係合する受け部15を形成している。これにより、支持板部５に挿入した係止部材２は、下端が段部13に支受される状態まで挿入されると、その位置で係止爪14が受け部15に係合し、係止部材２は挿入位置に保持される。
【００１３】
筒状の係止部材２の内側面は、下方に延長して押圧片６を形成している。この押圧片６は、ホルダ本体１の内壁３と外壁４の間に入り込み、かつ内壁３との間にヘルメット７の周壁を通過させることができる隙間、すなわちヘルメットの肉厚より僅かに大きな隙間が形成されるようにしている。また、押圧片６の長さは、先に述べた支持板部５との保持位置において、ホルダ本体１の底壁1aとの間に、少なくともヘルメットの鍔部８の肉厚分の隙間が形成される寸法とする。これにより、ホルダ本体１をヘルメット７の鍔部８の外周縁部分に下方から差し込み、ホルダ本体１の支持板部５に筒状の係止部材２を挿入し係止爪14を受け部15に係合させると、ホルダ本体１の底壁1aと係止部材２の押圧片６によってヘルメット７の鍔部８を挟持する状態で、ホルダ本体１と係止部材２が装着される。
【００１４】
筒状の係止部材２には、付属物の係止手段を備える。付属物の係止手段は、例えば細幅とした弾性片によって付属物を保持することができる構造として実施することができる。そして、弾性片による係止構造は、筒状の係止部材２と一体に形成することもできる。しかしながら、図示実施形態においては、別に成型した付属物支持板12を係止部材２に着脱する構造としている。
【００１５】
別体に成型した付属物支持板12を係止部材２に着脱自在とするには、図面上角筒状に形成される係止部材２の内部を、仕切壁９によって支持板部５が下方から挿入される区画10と、付属物支持板12を上方から挿入することができる区画11に区画する。区画10に下方からホルダ本体１の支持板部５が挿入されると所定位置に維持されることは先に説明した通りであるが、区画11に上から挿入した付属物支持板12も所定の位置に係止されるようにする。
【００１６】
付属物支持板12が所定位置に係止されるようにするには、図３に示すように付属物支持板12の裏面に係止爪16を突出させるとともに、係止部材２の区画11内面に受け部17を形成して両者を係合させる。なお、区画11に挿入した付属物支持板12がガタ付くのを防止するため、付属物支持板12の表面に弾性的な突部18を形成しておき、この突部18をホルダ本体１の支持板部５の裏面に形成した縦リブ19に当接させて安定するようにしている。
【００１７】
ホルダ本体１や係止部材２は、ある程度硬質で強度に優れた合成樹脂材で成型する。一方、付属物支持板12はある程度柔軟で弾性があり、細幅としたときにバネとして機能する材質の合成樹脂材で成型する。図１に示すように、付属物支持板12の上半部を切り込みによって三分割し、中央の分割片を受け片20とし、左右の分割片を押え片21とし、筆記具などの細長い比較的小さな付属物を保持することができるようにしている。すなわち、受け片20の湾曲部20aによって付属物Ａの逃げを防止し、押え片21の湾曲部21aによって付属物を抱持し、受け片20と押え片21の弾性によって付属物Ａを確実に保持するようにしている。
【００１８】
ホルダ本体１の内壁３と外壁４の内接寸法Ｗは、ヘルメット７周縁の鍔部８を含む幅W’よりも広いものとする。ヘルメット７周縁の鍔部８を含む幅W’は、ヘルメットにより一定しないものであり、本発明のホルダ本体１は、内壁３と外壁４の内接寸法Ｗが汎用されるヘルメットのうちで、幅の広いものよりも広いものとしておく。すなわち、ホルダ本体１を任意のヘルメットに対して下方から挿入することができるようにしている。
【００１９】
以上述べた実施形態の本発明に係る、ヘルメット用付属物ホルダをヘルメットに装着するには、図６(a)に示すように鍔部８を含むヘルメット７の下端外周縁部分に、下方からホルダ本体１を差し込み、ヘルメット７の下端をホルダ本体１の底壁1aに当接状態とする。続いて、図６(b)に矢印で示すように、筒状の係止部材２をホルダ本体１の支持板部５に挿入し、係止爪14を受け部15に係合させる。
【００２０】
この状態では、係止部材２の押圧片６がヘルメット７の鍔部８上面を押圧し、ホルダ本体１の底壁1aとの間でヘルメット７の鍔部８を挟み付ける。また、押圧片６が形成されている係止部材２の背面部分と、ホルダ本体１の内壁３内面との隙間をヘルメット７の肉厚に近い寸法としておくことによって、ホルダ本体１はヘルメット７に対してガタ付くことなく、しっかりと装着される。
【００２１】
上記、ホルダ本体１がヘルメットにしっかりと装着された状態で、図６(c)に示すように付属物支持板12を係止部材２に装着する。すなわち、係止部材２の区画12に嵌め込む。これにより、ヘルメットを着用した作業者はヘルメットの付属物ホルダに例えばペンやペンライトなどを支持させておき、必要に応じて取り外して、あるいは取り付けた状態で使用することができる。
【００２２】
以上説明した使用状態は、ひとつの付属物ホルダを使用して比較的小さな付属物を装着するものであるが、ヘルメットの下端外周縁の複数位置に配置し、比較的大きな付属物をヘルメットに装着するように使用することもできる。
図７には、本発明に係るヘルメット用付属物ホルダを防災面(防護面、フェースガード)の取り付け構造としての実施形態を示している。
すなわち、ホルダ本体１と係止部材２をヘルメット７の左右両側に固定するとともに、防災面23の左右両側に支持アーム24を形成しておき、支持アーム24に対して付属物支持板12をビス25によって回動自在に取り付けている。この構成とすることによって、防災面をヘルメットに対して着脱自在とする。ヘルメットに装着した防災面23は、点線で示すように作業者の顔面前方に位置させ、作業に伴う飛散物などから作業者を守るように使用する。
【００２３】
その他、係止部材２の外表面には、方形枠状の表示スペース22が形成されている。この表示スペース22は、名札表示などのスペースとして利用することができる。
【図面の簡単な説明】
【００２４】
【図１】図１は、付属物支持板を取り外した状態のヘルメット用付属物ホルダの斜視図、
【図２】図２は、ホルダ本体と係止部材を分離させた状態の斜視図、
【図３】図３は、付属物支持板を含むヘルメット用付属物ホルダの正面中央縦断面図、
【図４】図４は、係止部材の背面斜視図、
【図５】図５は、ホルダ本体の背面斜視図、
【図６】図６は、ヘルメット用付属物ホルダの装着手順を示す縦断面図、
【図７】図７は、ヘルメット用付属物ホルダを、防災面の取り付け構造として使用する状態の側面図である。
【符号の説明】
【００２５】
１…ホルダ本体、  1a…底壁、  ２…係止部材、  ３…内壁、  ４…外壁、  ５…支持板部、  ６…押圧片、  ７…ヘルメット、  ８…鍔部、  ９…仕切壁、  10、11…区画、  12…付属物支持板、  13…段部、  14…係止爪、  15…受け部、  16…係止爪、  17…受け部、  18…突起、  19…縦リブ、  20…受け片、  21…押え片、  22…表示スペース、  20a、20b…湾曲部、  23…防災面、  24…支持アーム、  25…ビス、  Ａ…付属物。
【図１】
2010121228.tif 000003
【図２】
2010121228.tif 000004
【図３】
2010121228.tif 000005
【図４】
2010121228.tif 000006
【図５】
2010121228.tif 000007
【図６】
2010121228.tif 000008
【図７】
2010121228.tif 000009